(57)【要約】【課題】  設定した時刻に楽音データを鳴動させるアラーム報知機能における操作性や利便性を向上させる。【解決手段】  携帯電話１は、アラーム報知時刻の少し前に、オーディオファイルを自動的にコンテンツダウンロードサービス５３からダウンロードするか、あるいはコンテンツダウンロードサービス５３から自動的に配信されるオーディオファイルを受信する。そして、アラーム報知時刻になると、内部に予め記憶されている固定楽音データやオーディオファイル以外にも、上記アラーム報知時刻の少し前にダウンロードされたオーディオファイルを再生して、第２スピーカ７Ｒ、第３スピーカ７Ｌで鳴動させる。【選択図】  図１
2006126034.tif 000002
【特許請求の範囲】
【請求項１】
現在時刻を計時する計時手段と、
通信回線網を介して外部機器に接続する接続手段と、
報知時刻を設定する報知時刻記憶手段と、
前記計時手段によって計時される現在時刻が前記報知時刻記憶手段に記憶された報知時刻より前であるとき、前記通信回線網を介して外部機器から再生すべきファイルを取得するよう前記接続手段を制御する接続制御手段と、
この接続制御手段により取得されたファイルを記憶する記憶手段と、
前記報知時刻記憶手段に記憶された報知時刻になると、前記記憶手段に記憶されたファイルを再生して報知する報知手段と
を具備することを特徴とする電子機器。
【請求項２】
前記外部機器に蓄積される複数のファイルより取得すべきファイルを選択する選択手段と、
この選択手段による選択内容を記憶する選択内容記憶手段とを更に具備し、
前記接続制御手段は、前記選択内容記憶手段に記憶されている選択内容に基づいて、再生すべきファイルを取得するよう前記接続手段を制御することを特徴とする請求項１記載の電子機器。
【請求項３】
前記ファイルにおける再生開始位置を設定する再生開始位置設定手段を具備し、
前記報知手段は、前記再生開始位置設定手段により設定された再生開始位置から前記ファイルを再生して報知することを特徴とする請求項１または２に記載の電子機器。
【請求項４】
前記接続制御手段により新たにファイルが取得されると、前記記憶手段に記憶されたファイルに上書きして今回取得されたファイルを記憶させるよう前記記憶手段を制御する記憶制御手段を更に具備することを特徴とする請求項１乃至３の何れかに記載の電子機器。
【請求項５】
現在時刻を計時する計時部と外部機器と通信回線網を介して接続する通信部とを備えた電子機器における報知方法であって、
前記計時部にて計時される現在時刻が予め記憶された報知時刻より前であるとき、前記通信回線網を介して外部機器から再生すべきファイルを取得するよう前記通信部を制御する制御ステップと、
この制御ステップにて取得されたファイルをメモリに記憶させる記憶ステップと、
報知時刻になると、前記記憶ステップにてメモリに記憶されたファイルを再生して報知する報知ステップと
からなることを特徴とする報知方法。
【請求項６】
現在時刻を計時する計時部と外部機器と通信回線網を介して接続する通信部とを備えたコンピュータに、
前記計時部にて計時される現在時刻が予め記憶された報知時刻より前であるとき、前記通信回線網を介して外部機器から再生すべきファイルを取得するよう前記通信部を制御する制御ステップと、
この制御ステップにて取得されたファイルをメモリに記憶させる記憶ステップと、
報知時刻になると、前記記憶ステップにてメモリに記憶されたファイルを再生して報知する報知ステップと
を実行させることを特徴とする報知プログラム。
【発明の詳細な説明】
【技術分野】
【０００１】
本発明は、電子機器、報知方法および報知プログラムに関する。
【背景技術】
【０００２】
従来、携帯電話においては、電話またはメールが着信したことをユーザに知らせるための着信メロディをネットワーク上のサーバから容易にダウンロードする技術が提案されている（例えば特許文献１参照）。
【特許文献１】特開２００２−１４２０４４号公報
【発明の開示】
【発明が解決しようとする課題】
【０００３】
ところで、携帯電話などの時計機能を有する電子機器においては、ユーザにより設定された時刻になると、アラーム音やメロディなどの楽音データを再生するアラーム報知機能を備えている。この場合、機器内部のメモリに保存されている複数の楽音データの中からしか、再生する楽音データを選択することができない。そこで、上述した特許文献１で示される従来技術を適用することが考えられるが、あくまで着信メロディのダウンロード技術であり、アラーム報知機能については何ら考慮されていない。このため、アラーム報知機能として、例えば、流行の楽曲を再生する場合には、別途、何らかの手法で入手したり、日毎で楽音データを変えたりしたい場合には、その都度、手動で設定し直さなければならないなど、操作性や利便性に問題があった。
【０００４】
そこで本発明は、設定した時刻に楽音データを再生するアラーム報知機能における操作性や利便性を向上させることができる電子機器、報知方法および報知プログラムを提供することを目的とする。
【課題を解決するための手段】
【０００５】
上記目的達成のため、請求項１記載の発明による電子機器は、現在時刻を計時する計時手段と、通信回線網を介して外部機器に接続する接続手段と、報知時刻を設定する報知時刻記憶手段と、前記計時手段によって計時される現在時刻が前記報知時刻記憶手段に記憶された報知時刻より前であるとき、前記通信回線網を介して外部機器から再生すべきファイルを取得するよう前記接続手段を制御する接続制御手段と、この接続制御手段により取得されたファイルを記憶する記憶手段と、前記報知時刻記憶手段に記憶された報知時刻になると、前記記憶手段に記憶されたファイルを再生して報知する報知手段とを具備することを特徴とする。
【０００６】
また、好ましい態様として、例えば請求項２記載のように、請求項１記載の電子機器において、前記外部機器に蓄積される複数のファイルより取得すべきファイルを選択する選択手段と、この選択手段による選択内容を記憶する選択内容記憶手段とを更に具備し、前記接続制御手段は、前記選択内容記憶手段に記憶されている選択内容に基づいて、再生すべきファイルを取得するよう前記接続手段を制御するようにしてもよい。
【０００７】
また、好ましい態様として、例えば請求項３記載のように、請求項１または２に記載の電子機器において、前記ファイルの再生開始位置を設定する再生開始位置設定手段を具備し、前記報知手段は、前記再生開始位置設定手段により設定された再生開始位置から前記ファイルを再生するようにしてもよい。
【０００８】
また、好ましい態様として、例えば請求項４記載のように、請求項１乃至３のいずれかに記載の電子機器において、前記接続制御手段により新たにファイルが取得されると、前記記憶手段に記憶されたファイルに上書きして今回取得されたファイルを記憶させるよう前記記憶手段を制御する記憶制御手段を更に具備するようにしてもよい。
【０００９】
また、上記目的達成のため、請求項５記載の発明による報知方法は、現在時刻を計時する計時部と外部機器と通信回線網を介して接続する通信部とを備えた電子機器における報知方法であって、前記計時部にて計時される現在時刻が予め記憶された報知時刻より前であるとき、前記通信回線網を介して外部機器から再生すべきファイルを取得するよう前記通信部を制御する制御ステップと、この制御ステップにて取得されたファイルをメモリに記憶させる記憶ステップと、報知時刻になると、前記記憶ステップにてメモリに記憶されたファイルを再生して報知する報知ステップとからなることを特徴とする。
【００１０】
また、上記目的達成のため、請求項６記載の発明による報知プログラムは、現在時刻を計時する計時部と外部機器と通信回線網を介して接続する通信部とを備えたコンピュータに、前記計時部にて計時される現在時刻が予め記憶された報知時刻より前であるとき、前記通信回線網を介して外部機器から再生すべきファイルを取得するよう前記通信部を制御する制御ステップと、この制御ステップにて取得されたファイルをメモリに記憶させる記憶ステップと、報知時刻になると、前記記憶ステップにてメモリに記憶されたファイルを再生して報知する報知ステップとを実行させることを特徴とする。
【発明の効果】
【００１１】
請求項１記載の発明によれば、報知時刻記憶手段に記憶された報知時刻より計時手段によって計時される現在時刻が前であるとき、接続制御手段が前記通信回線網を介して外部機器から再生すべきファイルを取得するよう制御するとともに、記憶手段が取得されたファイルを記憶する。そして、報知時刻になると、報知手段が記憶されたファイルを再生して報知する。したがって、アラーム報知機能における操作性や利便性を向上させることができるという利点が得られる。
【００１２】
また、請求項２記載の発明によれば、選択手段により前記外部機器に蓄積される複数のファイルより取得すべきファイルを選択し、この選択内容が選択内容記憶手段に記憶される。そして、前記接続制御手段は、前記選択内容記憶手段に記憶されている選択内容に基づいて再生すべきファイルを取得するよう前記接続手段を制御するようにしたので、請求項１記載の発明の効果に加え、アラーム報知機能における操作性や利便性を向上させることができるという利点が得られる。
【００１３】
また、請求項３記載の発明によれば、再生開始位置設定手段により、前記ファイルの再生開始位置を設定し、前記報知手段により、前記再生開始位置設定手段により設定された再生開始位置から前記ファイルを再生するようにしたので、請求項１または２に記載の発明の効果に加え、アラーム報知機能における操作性や利便性を向上させることができるという利点が得られる。
【００１４】
また、請求項４記載の発明によれば、記憶制御手段が、前記接続制御手段により新たにファイルが取得されると、前記記憶手段に記憶されたファイルに上書きして今回取得されたファイルを記憶させるよう前記記憶手段を制御するようにしたので、請求項１乃至３の何れかに記載の発明の効果に加え、常に最新の楽音で報知させることができアラーム報知機能における操作性や利便性を向上させることができるという利点が得られる。
【００１５】
また、請求項５記載の発明によれば、現在時刻を計時する計時部と外部機器と通信回線網を介して接続する通信部とを備えた電子機器において、計時部で計時される現在時刻が予め記憶した報知時刻よりも前であるとき、制御ステップが前記通信回線網を介して外部機器から再生すべきファイルを取得するよう通信部を制御するとともに、取得されたファイルをメモリに記憶させる。そして、報知時刻になると、報知手段が記憶されたファイルを再生して報知する。したがって、アラーム報知機能における操作性や利便性を向上させることができるという利点が得られる。
【００１６】
また、請求項６記載の発明によれば、現在時刻を計時する計時部と外部機器と通信回線網を介して接続する通信部とを備えたコンピュータで実行されるプログラムにおいて、計時部で計時される現在時刻が予め記憶した報知時刻よりも前であるとき、制御ステップが前記通信回線網を介して外部機器から再生すべきファイルを取得するよう通信部を制御するとともに、取得されたファイルをメモリに記憶させる。そして、報知時刻になると、報知手段が記憶されたファイルを再生して報知する。したがって、アラーム報知機能における操作性や利便性を向上させることができるという利点が得られる。
【発明を実施するための最良の形態】
【００１７】
以下、本発明の実施の形態を、図面を参照して説明する。
【００１８】
Ａ．第１実施形態
Ａ−１．第１実施形の構成
図１は、本発明の第１実施形態に係る携帯電話のシステム構成を示すブロック図である。図において、携帯電話１は、ユーザにより設定された時刻になると、アラーム音やメロディなどの楽音データやオーディオファイルを再生するアラーム報知機能を備えている。また、携帯電話１は、無線基地局５０、電話回線網５１、ネットワーク５２等を介して、コンテンツダウンロードサービス５３に接続可能となっている。また、携帯電話１は、ユーザに設定されたアラーム報知時刻に再生する楽音データとして、内部に記憶されている楽音データ以外にも、データベース５４に蓄積され、コンテンツダウンロードサービス５３で管理されているオーディオファイルも設定可能となっている。データベース５４は、ＨＥ−ＡＡＣ（Ｈｉｇｈ  Ｅｆｆｉｃｉｅｎｃｙ  −  Ａｄｖａｎｃｅｄ  Ａｕｄｉｏ  Ｃｏｄｉｎｇ）形式のオーディオファイルを蓄積し、コンテンツダウンロードサービス５３は、定期的にオーディオファイルを最新のものに更新し、流行の楽曲などを常に保存するようになっている。また、コンテンツダウンロードサービス５３は、携帯電話１からの要求に応じてデータベース５４に蓄積されているオーディオファイルより任意のものを配信する。更に、本第１の実施の形態においては、アラーム報知時刻前になった携帯電話１より配信要求を受けることで、この携帯電話１へオーディオファイルを配信する。
【００１９】
次に、図２は、本第１実施形態に係る携帯電話１の蓋を開いた状態と閉じた状態の正面図に相当する外観図である。図２（ａ）は、携帯電話１の蓋を開いた状態を示し、図２（ｂ）は、携帯電話１の蓋を閉じた状態（蓋側）を示し、図２（ｃ）は、携帯電話１の蓋を閉じた状態（裏面側）を示している。
【００２０】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００２１】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００２２】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音やアラーム、メロディなどを再生するための第２スピーカ７Ｒ、第３スピーカ７Ｌが配置されている。
【００２３】
次に、図３は、本第１実施形態による携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００２４】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００２５】
なお、内蔵アンテナ１６とメインアンテナ１１は、蓋部２を回動させた状態であっても、閉じた状態であっても、スペースダイバーシチ受信を行うのに有効な位置関係にある。
【００２６】
第１制御部２０は、無線基地局、及びその後段にあたる、通信サービス事業者、インターネット等のネットワークインフラを介して接続されるデータベース等の、情報資源との接続制御を中心とした処理、特に、コンテンツダウンロードサービス５３からの楽音データダウンロード処理を行う。
【００２７】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００２８】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また、２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００２９】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より串力される符号変調された信号をほぼ同時にＱＡＭ系方式のデジタル信号に復号、合成して、インターフェイス処理部２０４を介してバス２００に出カするプログラムを記憶する。
【００３０】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチＳＷは、第２制御部２２からの制御により、ムービー再生モードや、アラーム報知における楽曲の再生においては、ムービーファイルに格納されるオーディオデータやオーディオファイルがステレオ対応である場合、第２スピーカ７Ｒ、第３スピーカ７Ｌの両方にオーディオ信号を出力する。第２スピーカ７Ｒ、第３スピーカ７Ｌは、報知ドライバ２６によっても駆動され、着信報知音や、アラーム報知におけるアラーム音や楽曲などを再生出力する。
【００３１】
計時部２０６は、クロックを内蔵しており現在時刻を計時して表示部６に常時表示させる機能を有する。
【００３２】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御、また、本発明においては、データ通信モードによりダウンロードしたＨＥ−ＡＡＣ形式のオーディオファイルを伸張・復号して再生可能な楽音データに変換する処理も行う。
【００３３】
プログラムＲＯＭ２３は、ムービー再生モード、カメラモード、アラーム報知の際のオーディオファイルの伸張・復号・再生出力に関する各処理プログラムを格納する。ＲＡＭ２４は、データ通信処理や、音声通信において必要とされる各種データを記憶する。本実施形態では、特に、図４に示すように、固定楽音データエリア２４１、ダウンロードオーディオファイル格納エリア２４２、アラーム報知スケジュールエリア２４３および各種データ２４４エリアで構成される。ここで、固定楽音データエリア２４１は、予め携帯電話に保持されている楽音データ（アラーム音、メロディ音、楽曲など）を複数記憶するエリアであり、各楽音データは管理番号によって管理されている。ダウンロードオーディオファイル格納エリア２４２は、コンテンツダウンロードサービス５３などからダウンロードしたオーディオファイルが格納される。なお、上記ダウンロードオーディオファイル格納エリア２４２は、アラーム報知の際に再生すべき楽音データとして日替わりで設定可能にした場合にファイル１件分の専用フォルダが確保され、そこに記憶・更新される。また各種データエリアは撮影された静止画ファイル、動画ファイル、録音された音声ファイル、及び、ダウンロードされた各種メディアファイル（静止画、動画、オーディオファイル）が格納される。
【００３４】
アラーム報知スケジュールデータエリア２４３は、図５に示すように、アラーム報知を行う日時（報知種別２４３１、アラーム開始時刻２４３２）、報知設定内容２４３３、および再生種別２４３４からなる。上記報知種別２４３１は、アラーム報知を行う曜日パターンを示すもので、図示の例では、「ＭＯＮ」ならば毎月曜日、「ＥＶＥＲＹ１」ならば月曜日〜金曜日の毎日、「ＥＶＥＲＹ」ならば月曜日〜日曜日の毎日、空白ならば当日のみを示している。アラーム開始時刻２４３２は、アラーム報知を開始する時刻である。
【００３５】
報知設定内容２４３３は、アラーム報知の際に出力される固定楽音データを識別する管理番号や、オーディオファイルを事前にダウンロードする場合は、データベース５４に蓄積されるオーディオファイルからアラーム設定時に設定したオーディオファイルをダウンロードせしめるため、コンテンツダウンロードサービス５３に接続する接続情報（詳細には、ｈｔｔｐ：／／〜で記述されるＵＲＬ情報）が記憶される。なお、楽音データやオーディオファイルは、毎日、毎週、毎月など、所定の期間で更新されるものや、コンテンツダウンロードサービス５３側でランダムに入れ換えられるものが設定可能になっている。また、再生開始位置２４３４は、楽音データの全てを再生するのか、一部（イントロを除くサビ部分）を再生するのかを示している。図示の例では、「０」ならば始めから再生し、「１」ならばサビ部分のみを再生することを示している。なお、日替わりでダウンロードされるオーディオファイルについては、特に指定されなければ、通常、サビからの自動再生とする。但し、コンテンツダウンロードサービス５３から配信される楽音データに予めサビ部分が含まれている場合のみであり、サビ部分がない場合には、自動的に始めから再生されることになる。
【００３６】
圧縮伸張処理部２５は、ＭＰＥＧ−２、−４に対応し、カメラモードにて撮影された静止画／動画を圧縮処理するとともに、ムービー再生モードにおけるデータ通信モードによりダウンロ−ドしたムービーファイルや、カメラモードにおける静止画／動画を伸張処理する。
【００３７】
報知ドライバ２６は、着信音やアラーム報知音を鳴動せしめるために報知用ＬＥＤ１３、第２スピーカ７Ｒ、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。
【００３８】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。クレイドル用コネクタ３２は、クレイドル、すなわち充電台を兼ねた設置台に設置した際に、設置台からの電力で図示しないバッテリを充電するためのものであり、コネクタインターフェース３１を介してバスに接続されている。メモリカードスロット３３０（３３）には、ＳＤカードなどの記録媒体３３１が装着される。
【００３９】
Ａ−２．第１実施形態の動作
次に、上述した第１実施形態の動作について説明する。
（１）アラーム設定処理
図６は、本第１実施形態による携帯電話１によるアラーム設定処理の動作を説明するためのフローチャートである。まず、アラーム設定が選択されると、アラーム開始時刻、報知種別の設定画面を表示する（ステップＳ１０）。ユーザは、該設定画面において、アラーム開始時刻および報知種別を設定する。携帯電話１では、設定が完了したか否かを判断し（ステップＳ１２）、アラーム開始時刻、報知種別の設定が完了すると、これらアラーム開始時刻、報知種別を登録する（ステップＳ１４）。次に、図８（ａ）に示す楽音データ選択画面を表示する（ステップＳ１６）。ユーザは、該楽音データ選択画面において、固定楽音データエリア２４１に記憶されている固定楽音データの中から選択する「１．固定メロディ」、各種データエリア２４４に格納されるダウンロードされたオーディオファイルの中から選択する「２．データフォルダ」、コンテンツダウンロードサービス５３から配信され、ダウンロードオーディオファイル格納エリア２４２に記憶されるオーディオファイルを選択する「３．自動配信」の項目のいずれかを選択する。
【００４０】
携帯電話１では、自動配信が選択されたか否かを判断し（ステップＳ１８）、自動配信が選択された場合には、通信可能状態であるか否かを判断する（ステップＳ２０）。具体的には、例えば、電源オフ状態、電波オフモード、待ち受け以外の通信不可状態である場合には、所定回数試みて、それでも通信不可である場合には、その旨のメッセージを表示するなどして、ステップＳ１６へ戻る。
【００４１】
一方、通信可能状態である場合には、コンテンツダウンロードサービス５３に要求してダウンロードし（ステップＳ２２）、コンテンツダウンロードサービス５３が配信するオーディオファイルの一覧を表示する（ステップＳ２４）。この場合、単にオーディオファイルのファイル名を一覧表示するのではなく、例えば、図８（ｂ）に示すように、ジャンルやアーティストで所望のオーディオファイルを指定可能としたり、最近流行っている楽曲から指定可能としたりするようにしてもよい。ユーザは、コンテンツダウンロードサービス５３が配信するオーディオファイルの中からいずれか１つを選択する。携帯電話１では、オーディオファイルのファイル名（タイトル名）が選択されたか否かを判断し（ステップＳ３４）、選択されたと判断すると、図８（ｃ）に示すように、「設定しました」などのメッセージを表示し、そのオーディオファイルをダウンロードするための接続情報をアラーム報知スケジュールエリア２４３に登録する（ステップＳ３６）。
【００４２】
一方、楽音データ選択画面において、自動配信が選択されなかった場合には、データフォルダが選択されたか否かを判断し（ステップＳ２６）、データフォルダが選択された場合には、データフォルダ（各種データエリア２４４）に既にダウンロードされているオーディオファイルを設定し、更にそのオーディオファイルにおける再生開始位置を指定する（ステップＳ２８）。具体的には、楽音データ選択画面でデータフォルダが選択されると、図９（ａ）に示すデータフォルダ（各種データエリア２４４）内のデータ種別を示す画面を表示し、該画面から目覚しが選択されると、図９（ｂ）に示すように、各種データエリア２４４内のオーディオデータをアラーム報知に設定した場合に設定される「目覚しフォルダ」にダウンロードされたオーディオファイルのタイトルを表示する。
【００４３】
そして、図９（ｂ）に示す画面で、「サブメニュー」が選択されると、図９（ｃ）に示す再生開始位置指定画面を表示する。ユーザは、該再生開始位置指定画面において、当該オーディオファイルの始めから再生するのか、サビから再生するのかを指定する。そして、再生開始位置が指定されると、再生開始位置を登録する（ステップＳ３０）。なお、オーディオデータの再生開始位置が特に指定されていない場合に、上記再生開始位置は有効になるが、オーディオデータに再生開始情報自体が存在しない場合には、無条件で始めから再生される。
【００４４】
一方、データフォルダが選択されなかった場合には、固定楽音データが選択されたと判断し、固定楽音データエリア２４１に記憶されている固定楽音データの一覧を表示する（ステップＳ３２）。これらの処理により楽音データ（オーディオファイル）が選択されたか否を判断する（ステップＳ３４）、楽音データ（オーディオファイル）が選択されると、設定内容をアラーム報知スケジュールエリア２４３に登録する（ステップＳ３６）。
【００４５】
（２）アラーム報知処理
図７は、本第１実施形態による携帯電話１によるアラーム報知処理の動作を説明するためのフローチャートである。携帯電話１は、まず、アラーム開始時刻の所定時間前（数分前）であるか否かを判断し（ステップＳ４０）、アラーム開始時刻の所定時間前でなければ、通常処理へ戻る。一方、アラーム開始時刻の所定時間前であれば、今回対象となるアラーム報知が固定楽音データか、既にダウンロードされているオーディオファイルを再生するものであるか否かを判断する（ステップＳ４２）。そして、固定楽音データか既にダウンロードされているオーディオファイルである場合には、アラーム開始時刻になるまで待機し（ステップＳ５６）、アラーム開始時刻になると、対象となる固定楽音データ、ダウンロード済みのオーディオファイルを再生して、報知ドライバ２６によって第２スピーカ７Ｒ、第３スピ−カ７Ｌで鳴動させる（ステップＳ５８）。
【００４６】
一方、再生対象の固定楽音データがダウンロード済みのオーディオファイルでない場合には、アラーム報知スケジュールエリア２４３に当該アラーム報知時刻に対応して記憶されている接続情報を読み出して通信可能状態であるか否かを判断する（ステップＳ４６）。そして、通信不可状態である場合には、所定回数試みて、それでも通信不可である場合には、その旨のメッセージを表示するなどし、ダウンロードオーディオファイル格納エリア２４２に格納されている前回ダウンロードしたオーディオデータの再生に切り換えて、ステップＳ５６へ進む。
【００４７】
一方、通信可能状態である場合には、コンテンツダウンロードサービス５３との接続が成功したか否かを判断し（ステップＳ４６）、接続が成功するまで接続を試みる。接続が成功しなかった場合には、上述したように、その旨のメッセージを表示するなどし、ダウンロードオーディオファイル格納エリア２４２に格納されている前回ダウンロードしたオーディオデータの再生に切り換えて、ステップＳ５６へ進む。
【００４８】
一方、コンテンツダウンロードサービス５３との接続が成功すると、コンテンツダウンロードサービス５３に対象であるオーディオファイルの取得要求を送信し（ステップＳ４８）、コンテンツダウンロードサービス５３から配信されるオーディオファイルをダウンロードする（ステップＳ５０）。そして、ダウンロードしたオーディオファイルをＲＡＭ２４内のダウンロードオーディオファイル格納エリア２４２に上書き保存する（ステップＳ５２）。そして、ダウンロードが完了するまで（ステップＳ５４）、ダウンロードを継続する。なお、ダウンロードに関しては、まず既存（前回取得済み）の楽音データの削除を行い、その削除したエリアに今回ダウンロードしたオーディオファイルをダウンロードしていく。このエリアは、アラーム報知に際し、再生すべきオーディオファイルを日替わりに指定した時点で自動的に確保されるエリアであり、必ず確保したエリアデータサイズ内の楽音データがダウンロード条件となる。
【００４９】
そして、ダウンロードが完了すると、アラーム開始時刻になるまで待機し（ステップＳ５６）、アラーム開始時刻になると、対象となるオーディオファイルを再生して、報知ドライバ２６によって第２スピーカ７Ｒ、第３スピ−カ７Ｌで鳴動させる（ステップＳ５８）。
【００５０】
Ｂ．第２実施形態
次に、本発明の第２実施形態について説明する。なお、システム構成、携帯電話１の構成については図１、図２、図３と同様であるので説明を省略する。本第２実施形態では、アラーム報知時刻前にコンテンツダウンロードサービス５３から携帯電話１に自動配信するようになっている。
【００５１】
Ｂ−１．第２実施形態の動作
（１）アラーム設定処理
図１０は、本第２実施形態による携帯電話１によるアラーム設定処理の動作を説明するためのフローチャートである。まず、アラーム設定が選択されると、アラーム開始時刻、報知種別の設定画面を表示する（ステップＳ７０）。ユーザは、該設定画面において、アラーム開始時刻および報知種別を設定する。携帯電話１では、設定が完了したか否かを判断し（ステップＳ７２）、アラーム開始時刻、報知種別の設定が完了すると、これらアラーム開始時刻、報知種別を登録する（ステップＳ７４）。次に、図８（ａ）に示す楽音データ選択画面を表示する（ステップＳ７６）。ユーザは、該楽音データ選択画面において、「１．固定メロディ」、「２．データフォルダ」、「３．自動配信」の項目のいずれかを選択する。なお、固定メロディおよびデータフォルダについては前述した第１実施形態と同じであるので、以下では、自動配信についてのみ説明し、他の動作については省略する。
【００５２】
携帯電話１では、自動配信が選択された場合には、通信可能状態であるか否かを判断する（ステップＳ７８）。ここで、電源オフ状態、電波オフモード、待ち受け以外の通信不可状態である場合には、所定回数試みて、それでも通信不可である場合には、その旨のメッセージを表示するなどして、ステップＳ７６へ戻る。
【００５３】
一方、通信可能状態である場合には、コンテンツダウンロードサービス５３にオーディオファイルの一覧を要求する（ステップＳ８０）。このとき、コンテンツダウンロードサービス５３では、要求に応じて、配信可能なオーディオファイルの一覧を携帯電話１に送信する（ステップＳ１００）。携帯電話１では、コンテンツダウンロードサービス５３が配信するオーディオファイルの一覧を表示する（ステップＳ８２）。この場合、前述した第１実施形態と同様に、単にオーディオファイルのファイル名の一覧を表示するのではなく、ジャンルやアーティストでオーディオファイルを指定可能としたり、最近流行っている楽曲から指定可能としたりするようにしてもよい。携帯電話１では、選択されたか否かを判断し（ステップＳ８４）、コンテンツダウンロードサービス５３が配信するオーディオファイルの中から所望するオーディオファイルが選択されると、「設定しました」などのメッセージを表示し、そのオーディオファイルの楽音Ｎｏ．を登録する（ステップＳ８６）。次いで、登録された楽音Ｎｏ．、アラーム開始時刻、および、当該携帯電話１を特定するための端末番号（電話番号）をコンテンツダウンロードサービス５３に送信する（ステップＳ８８）。コンテンツダウンロードサービス５３では、携帯電話１から送信された楽音Ｎｏ．、アラーム開始時刻および端末番号を登録する（ステップＳ１０２）。
【００５４】
（２）アラーム報知処理
図１１は、本第２実施形態による携帯電話１によるアラーム報知処理の動作を説明するためのフローチャートである。コンテンツダウンロードサービス５３は、まず、アラーム開始時刻の所定時間前（数分前）であるか否かを判断し（ステップＳ１２０）、アラーム開始時刻の所定時間前でなければ、通常処理へ戻る。一方、アラーム開始時刻の所定時間前であれば、通信可能状態であるか否かを判断する（ステップＳ１２２）。そして、通信不可状態である場合には、所定回数試みて、それでも通信不可である場合には、失敗として終了する。なお、この場合、携帯電話１では、コンテンツダウンロードサービス５３からオーディオファイルをダウンロードできないので、前回ダウンロードし、ダウンロードオーディオファイル格納エリア２４２に格納されたオーディオファイルの再生に切り換え、アラーム開始時刻になると、切り換えたオーディオファイルを再生することになる。
【００５５】
一方、通信可能状態である場合には、コンテンツダウンロードサービス５３との接続が成功したか否かを判断し（ステップＳ１２４）、接続が成功するまで接続を試みる。そして、接続が成功しなかった場合には、上述したように、失敗として終了する。この場合にも、携帯電話１では、前回ダウンロードし、ダウンロードオーディオファイル格納エリア２４２に格納されたオーディオファイルの再生に切り換え、再生することになる。
【００５６】
一方、接続が成功すると、ダウンロード対象であるオーディオファイルを携帯電話１に配信する（ステップＳ１２６）。そして、配信が完了するまで（ステップＳ１２８）、オーディオファイルの配信を継続する。携帯電話１では、コンテンツダウンロードサービス５３からのオーディオファイルを受信して、ＲＡＭ２４内のデータフォルダ（ダウンロードオーディオファイル格納エリア２４２の格納領域）に上書き保存する（ステップＳ１４０）。
【００５７】
携帯電話１では、アラーム開始時刻になるまで待機し（ステップＳ１４６）、アラーム開始時刻になると、ダウンロードオーディオファイル格納エリア２４２に記憶したオーディオファイルを再生して、報知ドライバ２６によって、第２スピーカ７Ｒ、第３スピ−カ７Ｌで鳴動させる（ステップＳ１４４）。
【００５８】
上述した第１、第２実施形態によれば、アラーム報知時刻の少し前に、報知のために再生すべきオーディオファイルを自動的にコンテンツダウンロードサービス５３からダウンロードするか、あるいはコンテンツダウンロードサービス５３にアラーム開始時刻を登録しておくことで、アラーム報知時刻の少し前に、コンテンツダウンロードサービス５３から自動的にダウンロードするようにしたので、内部に記憶されている楽音データ、オーディオファイル以外にも、多種多様なオーディオファイルや日替わりのオーディオファイルなどを再生することができ、アラーム報知機能における操作性や利便性を向上させることができる。
【００５９】
また、本実施形態では、アラーム報知の際、今回のアラーム設定時刻の所定時間前にダウンロードしたオーディオファイルを再生することについて記載したが、これに限ること無く、ムービーファイルや、オーディオ再生を含む各種メディアファイルであれば、実施形態に限定されないことは言うまでもないことである。
【００６０】
また、本実施の形態では、アラーム報知時刻の少し前にオーディオファイルをダウンロードするようにしたが、これに限ることなく、例えば、無線通信システムのトラフィックの混雑状態を常に監視し、アラーム設定時刻前であってトラフィックが空いている状態の時にダウンロードするようにしても良い。このようにすれば、オーディオファイルのダウンロードの失敗を防ぐことができる。
【図面の簡単な説明】
【００６１】
【図１】本発明の第１実施形態に係る携帯電話のシステム構成を示すブロック図である。
【図２】本第１実施形態に係る携帯電話１の蓋を開いた状態と閉じた状態の正面図に相当する外観図である。
【図３】本第１実施形態による携帯電話１の回路構成を示すブロック図である。
【図４】本第１実施形態による携帯電話１のＲＡＭ２４におけるデータ構成を示す概念図である。
【図５】本第１実施形態によるアラーム報知スケジュール情報の構成を示す概念図である。
【図６】本第１実施形態による携帯電話１によるアラーム設定処理の動作を説明するためのフローチャートである。
【図７】本第１実施形態による携帯電話１によるアラーム報知処理の動作を説明するためのフローチャートである。
【図８】本第１実施形態によるアラーム設定処理における画面例を示す模式図である。
【図９】本第１実施形態によるアラーム設定処理における画面例を示す模式図である。
【図１０】本第２実施形態による携帯電話１によるアラーム設定処理の動作を説明するためのフローチャートである。
【図１１】本第２実施形態による携帯電話１によるアラーム報知処理の動作を説明するためのフローチャートである。
【符号の説明】
【００６２】
１  携帯電話（電子機器）
２  蓋部
３  本体部
５  第１スピーカ
６  表示部
７Ｒ  第２スピーカ（報知手段）
７Ｌ  第３スピーカ（報知手段）
８  キー入力部（選択手段、再生開始位置設定手段）
１０  マイク
１１  メインアンテナ（接続手段、通信部）
１２  第２ヒンジ部
１３  報知用ＬＥＤ
１６  内蔵アンテナ（接続手段、通信部）
１７  撮像レンズ
１８  受信信号処理部（接続手段、通信部）
１９  通信信号処理部（接続手段、通信部）
２０  第１制御部（接続制御手段、記憶制御手段）
２２  第２制御部（再生開始位置設定手段）
２３  プログラムＲＯＭ
２４  ＲＡＭ
２６  報知ドライバ（報知手段）
２７  スイッチ処理部
３０  音声出力系ドライバ
ＳＷ  スイッチ
６１  表示ドライバ
６２  表示バッファ
９０  第１サイドキー
９１  第２サイドキー
９２  シャッターキー
１００  第１ヒンジ部
２０１  スイッチ回路
２０２  通信データ処理部
２０３  システムＲＯＭ
２０５  音声処理部
２０６  計時部（計時手段）
２０７  オーデイオアンプ
２４２  ダウンロードオーディオファイル格納エリア（記憶手段）
２４３  アラーム報知スケジュールエリア（報知時刻記憶手段、選択内容記憶手段）
３３０  メモリカードスロット
３３１  カード媒体
【図１】
2006126034.tif 000003
【図２】
2006126034.tif 000004
【図３】
2006126034.tif 000005
【図４】
2006126034.tif 000006
【図５】
2006126034.tif 000007
【図６】
2006126034.tif 000008
【図７】
2006126034.tif 000009
【図８】
2006126034.tif 000010
【図９】
2006126034.tif 000011
【図１０】
2006126034.tif 000012
【図１１】
2006126034.tif 000013